(57)【要約】【課題】電気機器の配線作業が容易にでき、放熱性を有したものでありながら、天板上を見栄えよくすることができる天板取付収納具を提供する。【解決手段】天板５に設けられた天板開口部５０に取り付けられる天板取付収納具１であって、前記天板開口部の両端に嵌め込まれた一対の枠体部２と、断面略Ｌ字型で構成され一対の前記枠体部の間に挟持された収納板材３と、前記収納板材の上方を覆うカバー部４とを備えていることを特徴とする。【選択図】図１
2011067363.tif 000002
【特許請求の範囲】
【請求項１】
天板に設けられた天板開口部に取り付けられる天板取付収納具であって、
前記天板開口部の両端に嵌め込まれた一対の枠体部と、断面略Ｌ字型で構成され一対の前記枠体部の間に挟持された収納板材と、前記収納板材の上方を覆うカバー部とを備えていることを特徴とする天板取付収納具。
【請求項２】
請求項１において、
前記カバー部は、前記枠体部に保持された蓋体と、前記収納板材に片持ち支持された軟質の弾性片とを有することを特徴とする天板取付収納具。
【請求項３】
請求項２において、
前記蓋体は、着脱自在に取り付けられる構造としていることを特徴とする天板取付収納具。
【請求項４】
請求項１〜請求項３のいずれか１項において、
前記枠体部は、放熱空所を有することを特徴とする天板取付収納具。
【発明の詳細な説明】
【技術分野】
【０００１】
本発明は、カウンターや机など天板に設けられる天板取付収納具に関する。
【背景技術】
【０００２】
カウンターや机などの天板の上にはパソコン、電話などの電気機器を置くことが多くなり、これらがリビングのような人の目につきやすい場所に設けられている場合は、電気機器の配線が天板上に複数配されていたり、余剰した配線が天板上にあると雑多な印象を与えかねない。
そこで天板に開口部を設け、この開口部に電機機器の余剰した配線などを収納するための収納具を嵌め入れて構成された天板取付収納具が知られている。
【０００３】
例えば下記特許文献１には、上下に貫通した枠体と、枠体の上部開口を開閉自在に被覆する蓋体とを備え、蓋体を枠体に開閉自在に枢着するとともに、蓋体に分離可能な小蓋片が設けられたカバー装置が記載されている。
これによれば、カバー装置から取り出す配線が少ないときには、蓋体全体を開放することなく、上述の小蓋片を取り外してその空所から配線を引き出すことができる。またカバー装置から取り出される配線が多いときなどは、蓋体を枠体から取り外し、その取り外した蓋体は枠体内に収納することができる。
【０００４】
また下記特許文献２には、天板に形成した開口部に、天板の一部を挟み込んだ状態で第１のボックス本体要素と第２のボックス本体要素とを連結し、天板に支持させるように取り付けられた収納ボックスが開示されている。
これによれば、天板にねじ孔を設けるなどの加工を施すことなく、天板に対する上下動を禁止した状態でボックス本体を取り付けることができるとされている。
【先行技術文献】
【特許文献】
【０００５】
【特許文献１】実公平６−１４５７２号公報
【特許文献２】特開２００１−１６１４４９号公報
【発明の概要】
【発明が解決しようとする課題】
【０００６】
しかしながら上記特許文献１に記載のものは、収納具というよりは配線をカバーする装置であって、枠体が上下に貫通した構成となっているため、枠体の下方から配線を取り出す必要があり作業性が悪い。また例えばＡＣアダプタなど熱を発するものが収納された場合に熱を逃がす放熱性を有したものではない。
【０００７】
上記特許文献２に記載のものは、収納部分の上下及び四方が覆われた完全な箱体からなるため、天板取付収納具から天板の下方へ配線を引き出すことができない。またこれも上述のような放熱性を有したものではない。
【０００８】
本発明は、上記実情に鑑みなされたものであり、電気機器の配線作業が容易にでき、放熱性を有したものでありながら、天板上を見栄えよくすることができる天板取付収納具を提供することを目的とする。
【課題を解決するための手段】
【０００９】
本発明に係る天板取付収納具は、天板に設けられた天板開口部に取り付けられる天板取付収納具であって、前記天板開口部の両端に嵌め込まれた一対の枠体部と、断面略Ｌ字型で構成され一対の前記枠体部の間に挟持された収納板材と、前記収納板材の上方を覆うカバー部とを備えていることを特徴とする。
これによれば、天板開口部に嵌め込まれた状態で取り付けられ、収納板材の上方はカバー部で覆われているので、天板を上方からみたときには天板取付収納具内に収納されたものが見えず、天板上の見栄えをよくすることができる。
また収納板材が断面略Ｌ字型で構成されているので、一対の枠体部間に挟持された状態においては開放された空間が形成され、この空間を利用して電気機器の配線作業を容易に行うことができ、またこの開放された空間が放熱空間となり放熱性を有したものとすることができる。
【００１０】
本発明において前記カバー部は、前記枠体部に保持された蓋体と、前記収納板材に片持ち支持された軟質の弾性片とを有するものとしてもよい。
これによれば、弾性片は弾性を備えているので、例えば天板取付収納具内から配線を引き出す場合は、カバー部全体を開閉することなく、弾性片を変形させて任意の位置から容易に配線を引き出すことができる。このとき、弾性片は軟質で構成されているので、配線を傷つけたりすることがない。そしてこの場合でも枠体部に係止される蓋体によって収納板材の上方が覆われているので、天板取付収納具内に収納されたものが見えず、見栄えがよい。
【００１１】
本発明において前記蓋体は、着脱自在に取り付けられる構造としてもよい。
これによれば、天板取付収納具を天板開口部に取り付けた後でも、蓋体のみを着脱すれば、収納物を収納したり或いは取り出したりする作業がしやすい。
【００１２】
本発明において前記枠体部は、放熱空所を有するものとしてもよい。
これによれば、ＡＣアダプタなどの熱を放出するものを収納する場合、枠体部の放熱空所から放熱させることができる。またここから配線を引き出すこともできる。
【発明の効果】
【００１３】
本発明に係る天板取付収納具によれば、電気機器の配線作業が容易にでき、放熱性を有したものでありながら、天板上を見栄えよくすることができる。
【図面の簡単な説明】
【００１４】
【図１】本発明の一実施形態の天板取付収納具を示す分解斜視図である。
【図２】同天板取付収納具内にテーブルタップを収納した状態を示す概略斜視図である。
【図３】（ａ）及び（ｂ）は同天板取付収納具の天板への取付状態を示した断面図である。
【図４】同天板取付収納具の天板への取付状態を示した正面図である。
【図５】同天板取付収納具の天板への取付状態を示した図であり、天板を下方から見上げた状態を示した斜視図である。
【図６】（ａ）及び（ｂ）は同天板取付収納具の変形例を示す図であり、天板への取付状態を示した断面図である。
【発明を実施するための形態】
【００１５】
以下に本発明における実施の形態の一例について、図１〜図５に基づいて説明する。
本実施形態では、天板取付収納具１をカウンターデスクとして使用される天板５に取り付けた場合について説明する。
図に示した天板取付収納具１は、天板５に設けられた天板開口部５０に取り付けられ、天板開口部５０の両端に嵌め込まれた一対の枠体部２と、断面略Ｌ字型で構成され一対の枠体部２の間に挟持された収納板材３と、収納板材３の上方を覆うカバー部４とを備えている。
【００１６】
天板５の形状及び寸法などは適宜設置スペースに応じて設定されるものであって、特に限定されるものではないが、図例のものは長方形状の板体からなるものを示している。
天板５を壁面（不図示）に沿って設けられ、この天板５は下面側から適宜間隔を空けて設けられた２個の天板固定具８（図４及び図５参照）によって固定支持されている。天板固定具８の設置数は天板５の長さなどによって適宜設定される。
天板５は無垢材、集成材などの木質材からなり、例えばその表面はフッ素やシリコンなどで塗装仕上げがなされているものとしてもよいし、樹脂製化粧シートが貼り付けられたものとしてもよい。
天板開口部５０は図１に示すように天板５の長手方向に沿うように天板５の壁面寄りに平面視して長方形状に形成され、上下方向に貫通しており、天板開口部５０の手前側のスペースには、パソコンや家庭用の小型ファクシミリ、電話、プリンタなどが置けるようになっている。
【００１７】
天板取付収納具１は、上述したように一対の枠体部２、収納板材３、カバー部４とを組み合わせて構成されている。
枠体部２は、硬質樹脂材又は金属製板材などからなり、枠体本体２０と外向鍔部２１と補強リブ２２とを備え、枠体本体２０には放熱空所２０ａと接合突起部２０ｂと保持枠２０ｃとカバー嵌合部２０ｄとが形成されている。
枠体本体２０は断面略Ｌ字型の収納板材３をその長手方向両端から挟持するように略方形に形成されており、その中央部分には放熱空所２０ａとなる開口が形成されている。枠体本体２０は収納板材３の挟持方向に向かって突出した保持枠２０ｃを備えており、この保持枠２０ｃは枠体本体２０の両側及び下方端に形成されている。保持枠２０ｃには収納板材３の貫通孔３ａと接合される接合突起部２０ｂが３箇所形成されており、接合突起部２０ｂは保持枠２０ｃの下方側角部と壁面側の上方端部とに設けられている。
【００１８】
図１の拡大図に示すように接合突起部２０ｂは鉤状の爪部で構成されており、後記する収納板材３に設けられた貫通孔３ａに接合突起部２０ｂを押し当てると爪部が貫通孔３ａに引っかかるように嵌合し容易には取り外せない構造となっている。
枠体本体２０の上方にはカバー部４が嵌合されるカバー嵌合部２０ｄが形成されている。図３（ａ）に示すようにカバー嵌合部２０ｄは、その上方より被せられるカバー部４の蓋体４０の突条部４０ａと嵌合する切込溝２０ｅを備えている。
この例では蓋体４０の突条部４０ａが長手方向に２箇所形成されているので、２つの切込溝２０ｅが設けられている。
【００１９】
枠体本体２０の上方には外向きに略水平方向に突出した外向鍔部２１が形成されており、この外向鍔部２１が天板開口部５０の両端周縁部に載置されるようにして取り付けられる。
図４に示すように天板開口部５０に取り付けられた状態では、外向鍔部２１が天板５の上に露出し、枠体本体２０は天板開口部５０内に嵌め入れられた状態となる。
なお、外向鍔部２１の下方には外向鍔部２１及び枠体本体２０を補強支持する補強リブ２２が形成されたものとしてもよい。図例のものは薄片状の補強リブ２２が１つの枠体部２に３つ形成されている例を示している。
【００２０】
収納板材３はアルミなどの金属製板材又は耐熱性樹脂材を断面略Ｌ字型に加工して形成され、底板３０と側板３１とを備えており、天板開口部５０に取り付けられた際に前面側（反壁面側）に開口空間が形成されるように一対の枠体部２の間に挟持されている。天板取付収納具１の設置状態において、底板３０は床面（不図示）と略並行に、側板３１は壁面と略並行に配置される。
収納板材３の長手方向におけるそれぞれの端辺３ｂ，３ｃは折曲加工されており、図３に示すようにカバー部３が取り付けられる側板３１側の長手方向の端辺３ｂは外方へ折曲加工されている。図３（ａ）に示すようにこの端辺３ｂの折曲部分と天板５との間にカバー部３における弾性片４１の端部が挟まれた状態で取り付けられ、これによって弾性片４１が収納板材３に片持ち支持されている。
図１などに示すように底板３０側の長手方向の端辺３ｃは上方向に向かって折曲加工されており、この端辺３ｃはここには上述の接合突起部２０ｂと嵌合するよう方形状をなす貫通孔３ａが２箇所形成されている。
また側板３１側にも貫通孔３ａが計４箇所形成されており、いずれも接合突起部２０ｂと嵌合するように形成されている。
【００２１】
カバー部４は枠体部２に保持された蓋体４０と、収納板材３に片持ち支持された弾性片４１とを備えており、これらによって収納板材３の上方を覆い、天板５の上方側から見たときには天板取付収納具１内に収容したものが見えないようにしている。
蓋体４０は樹脂材などからなり、弾性片４１はゴム材や軟質樹脂材など弾性変形可能なものからなる。
【００２２】
蓋体４０も弾性片４１も図２に示すように収納板材３の上方を覆うように収納板材３の長手方向に沿うように形成されている。そして天板取付収納具１の設置状態において、蓋体４０が手前側、弾性片４１が奥側（壁面側）に取り付けられる。
蓋体４０には上述したように枠体部２のカバー嵌合部２０ｄと嵌合するように突条部４０ａが形成されている。
突条部４０ａは、カバー嵌合部２０ｄの切込溝２０ｅにこれを押し込めば、蓋体４０が装着される一方、蓋体４０の端部を持って突条部４０ａの嵌合状態を解除すれば、容易に蓋体４０を取り外すことができるように構成されている。これによれば、天板開口部５０に天板取付収納具１を取り付けた後でも、蓋体４０だけを着脱自在とすることができる。
【００２３】
弾性片４１には、その片側が収納板材３の端辺３ｂを包持して、端辺３ｂと天板５の間に挟まれるように形成された保持部４１ａと、片持ち支持される弾性片４１の保持状態を維持するため収納板材３の側板３１の長手方向に沿うにように形成された支持部４１ｂとが形成されている。
このように弾性片４１は片持ち支持され、片側端部は自由端を構成するので、図２や図３（ｂ）に示すように配線７０を天板５の上に引き出した場合は、弾性片４１が弾性変形して先側４１ｃが撓んだ状態となる。よって、このときに蓋体４０と弾性片４１との間には配線７０が引き出される隙間が形成されるが、蓋体４０が手前側、弾性片４１が奥側に設置されているので、その隙間が天板５の手前側からはみえず、天板取付収納具１内に収納されたものが見えないので、見栄えのよいものとすることができる。また弾性片４１は軟質素材からなるので、配線７０に傷をつけてしまうことがない。更にこれによれば、蓋体４０と弾性片４１の間の任意の位置から配線を引き出すことができ、配線孔が形成されるようなものと違って配線自由度が高い。そして特に引き出す配線などがないときには、蓋体４０と弾性片４１との間が塞がれた状態とすることができる。
【００２４】
続いて、天板取付収納具１の取付使用例について説明する。
ここでは天板取付収納具１内にテーブルタップ６を収納し、このテーブルタップ６にＡＣアダプタ７を接続するとともに、その配線７０を天板５に引き出した例に基づいて説明する。
まず天板取付収納具１の組み立てに関しては、はじめに収納板材３の両端に枠体部２を夫々取り付ける。このとき枠体部２の接合突起部２０ｂを収納板材３の貫通孔３ａに嵌め入れればよいだけなので、収納板材３の両端に枠体部２を容易に取り付けることができる。
次に弾性片４１を収納板材３の端辺３ｂに取り付ける。
そしてこれを天板５の上方から天板開口部５０に嵌め入れる。
このとき、蓋体４０はまだ取り付けずに収納板材３の上方を開口状態としておく。
続いて収納板材３の底板３０の上にテーブルタップ６を載置する。
ここでテーブルタップ６の収納は天板開口部５０側から行ってもよいし、図５に示すように天板取付収納具１は設置状態において開放空間があるので、天板５の下方からテーブルタップ６の収納作業を行ってもよい。
そしてテーブルタップ６のプラグ配線６０は枠体部２の放熱空所２０ａから引き出し、例えば壁面などに設けられたコンセント（不図示）に接続される。
【００２５】
次に天板５の上に設置する電気機器（不図示）のＡＣアダプタ７をテーブルタップ６の差し込み口に接続する。
そして蓋体４０の突条部４０ａを枠体部２の切込溝２０ｅに嵌め入れて収納板材３の上方を覆い、電気機器の配線７０は弾性片４１側から引き出す。これにより、天板取付収納具１内へのテーブルタップ６の収納が完了である。
なお、ここではテーブルタップ６を収納する例について説明したが、天板取付収納具１内に収納するものは特に限定されるものではない。
またここでは、壁面などに設けられたコンセントまで引き出す配線６０を放熱空所２０ａから引き出した例について説明したが、配線６０を引き出す必要がある場合は、収納板材３によって形成される開放された空間から配線６０を引き出してもよい。
【００２６】
以上にように構成された天板取付収納具１によれば、天板開口部５０に嵌め込まれた状態で取り付けられ、収納板材３の上方はカバー部４で覆われているので、天板５を上方からみたときには天板取付収納具１内に収納されたものが見えず、見栄えのよいものとすることができる。
また収納板材３が断面略Ｌ字型で構成されているので、開放された空間が形成される。よって上述のＡＣアダプタ７などのように発熱するものであっても、この開放された空間が放熱空間となり、良好な状態で収納することができる。もちろん枠体部２に形成された放熱空所２０ａも放熱空間として機能する。
【００２７】
次に図６（ａ）及び（ｂ）を参照しながら、同天板取付収納具の変形例について説明する。
尚、上記実施形態との相違点について主に説明し、同様の構成については、同一符号を付し、その説明を省略或いは簡略に説明する。
図６（ａ）及び（ｂ）に示す天板取付収納具１は、蓋体４０の着脱構造が上述とは異なるものであり、（ａ）は蓋体４０が装着されている状態を示した断面図、（ｂ）は蓋体４０が取り外される状態を示した断面図である。
【００２８】
蓋体４０には、長手方向に沿って突出長さの異なる突条部４０ａが大中小と３つ形成されている。蓋体４０の装着状態において手前側の突条部４０ａの突出長さが一番短く、奥側（壁面側）の突条部４０ａの突出長さが一番長く形成されている。この変形例で示す突条部４０ａは上述のように切込溝２０ｅに押し当てて嵌合し蓋体４０を装着するものはなく、蓋体４０を適正な位置に装着させるための位置決めや装着向きの誤りを防ぐ役割を担っている。よって、蓋体４０を装着する際には、切込溝２０ｅの位置に沿わせるように突条部４０ａを嵌め入れていくこととなり、逆向きに装着した場合は、切込溝２０ｅの形成位置と合わないようになっている。
【００２９】
一番長く形成されている突条部４０ａの先側は、枠体部２に形成された受部２０ｆに係止され、且つこの突条部４０ａの手前側面に設けられた芯材４０ｂの端部を包持するように加工形成されている。
この変形例に示すものでは、枠体部２に形成された受部２０ｆも蓋体４０を適正な位置に装着させる位置決めの役割を担っている。すなわち、切込溝２０ｅが形成されたカバー嵌合部２０ｄで蓋体４０の長手方向の位置決めを行い、この受部２０ｆで蓋体４０の上下方向の位置決めを行っている。
また蓋体４０の装着状態における手前側には、枠体部２の保持枠２０ｃの上方端部に形成された凹状の溝部２０ｇに係止される係止部４０ｃが形成されている。
これによって蓋体４０は奥側の端部をもって手前側に引けば、大きな力を要することなくスムーズに蓋体４０のみを取り外すことができる。
【００３０】
以上、天板取付収納具１を構成する枠体部２、収納板材３、カバー部４などの形状、大きさ、構成は図例に限定されるものではない。また天板取付収納具１が取り付けられる天板５も図例の壁面に固着された天板固定具８によって固定支持されたカウンターデスクに限定されず、机の天板やキャビネットの天板にも適用可能である。また枠体部２と収納板材３との挟持構造やカバー部４を構成する蓋体４０及び弾性片４１の構造なども図例に限定されるものではない。
【符号の説明】
【００３１】
１      天板取付収納具
２      枠体部
３      収納板材
４      カバー部
５      天板
５０      天板開口部
【図１】
2011067363.tif 000003
【図２】
2011067363.tif 000004
【図３】
2011067363.tif 000005
【図４】
2011067363.tif 000006
【図５】
2011067363.tif 000007
【図６】
2011067363.tif 000008